【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
ａ）基材上の少なくともＳｎＯ２及び／又は水和ＳｎＯ２からなる部分層
ｂ）少なくともＦｅ３Ｏ４からなる部分層
及び
ｃ）所望により、金属酸化物からなる更なる層、
を含む黒色エフェクト顔料であり、
前記少なくともＦｅ３Ｏ４からなる部分層は、更に水酸化第二鉄及びＦｅ２Ｏ３を含み得、そして
前記ＳｎＯ２及び／又は水和ＳｎＯ２は、０．５乃至４質量％の範囲であり、且つ、前記Ｆｅ３Ｏ４が１８．４乃至約７０質量％の範囲であり、そして
該質量％は、黒色エフェクト顔料の全質量に基づいている、
黒色エフェクト顔料。
【請求項２】
前記ＳｎＯ２及び／又は水和ＳｎＯ２層及び／又は前記Ｆｅ３Ｏ４層が、基材上に連続コーティング又は連続層を、カプセル化しているか又は形成している、請求項１に記載の黒色エフェクト顔料。
【請求項３】
更なる層ｃ）が、ＳｉＯ２、ＴｉＯ２、ＺｒＯ２、Ａｌ２Ｏ３及びＺｎＯからなる金属酸化物群から選択される、請求項１に記載の顔料。
【請求項４】
前記金属酸化物がＳｉＯ２又はＴｉＯ２である、請求項３に記載の顔料。
【請求項５】
前記顔料が、金属酸化物層ｃ）を含み、且つ、該金属酸化物層が透明である、請求項１に記載の顔料。
【請求項６】
前記基材が、酸化アルミニウム、板状ガラス、パーライト、アルミニウム、天然マイカ、合成マイカ、オキシ塩化ビスマス、板状酸化鉄、板状グラファイト、ブロンズ、ステンレス鋼、天然パール、窒化ホウ素、二酸化ケイ素、銅フレーク、銅合金フレーク、亜鉛フレーク、亜鉛合金フレーク、酸化亜鉛、エナメル、カオリン（ｃｈｉｎａ  ｃｌａｙ）、磁
器、酸化チタン、二酸化チタン、亜酸化チタン、ゼオライト、カオリン、ゼオライト及びそれらの組み合わせからなる群から選択される、請求項１に記載の顔料。
【請求項７】
前記基材が、天然マイカ、合成マイカ、パーライト、板状ガラス及びアルミニウムからなる群から選択される、請求項１に記載の顔料。
【請求項８】
但し、前記ＳｎＯ２及び／又は水和ＳｎＯ２コーティング又は層は、ＴｉＯ２コーティング又は層に取り込まれていないという条件である、請求項１に記載の顔料。
【請求項９】
前記基材が、マイカ又は合成マイカである、請求項１に記載の顔料。
【請求項１０】
前記ＳｎＯ２及びＦｅ３Ｏ４が、同一層中に存在する、請求項１に記載の顔料。
【請求項１１】
前記ＳｎＯ２及びＦｅ３Ｏ４が、二つの分離層中に存在する、請求項１に記載の顔料。
【請求項１２】
以下の層構造：
基材／ＳｎＯ２及び／又は水和ＳｎＯ２＋Ｆｅ３Ｏ４（同一層）、
基材／ＳｎＯ２及び／又は水和ＳｎＯ２＋Ｆｅ３Ｏ４（同一層）／ＳｉＯ２、
基材／ＳｎＯ２及び／又は水和ＳｎＯ２／Ｆｅ３Ｏ４、
基材／ＳｎＯ２及び／又は水和ＳｎＯ２／Ｆｅ３Ｏ４／ＳｉＯ２、
基材／ＳｎＯ２及び／又は水和ＳｎＯ２／Ｆｅ３Ｏ４／ＴｉＯ２、
基材／ＳｎＯ２及び／又は水和ＳｎＯ２／Ｆｅ３Ｏ４／ＺｎＯ２、
基材／ＳｎＯ２及び／又は水和ＳｎＯ２／Ｆｅ３Ｏ４／ＺｒＯ２、
基材／ＴｉＯ２＋ＳｎＯ２／Ｆｅ３Ｏ４／ＳｉＯ２、
基材／ＳｎＯ２及び／又は水和ＳｎＯ２／ＴｉＯ２＋ＳｎＯ２／Ｆｅ３Ｏ４／ＳｉＯ２、基材／ＴｉＯ２＋ＳｎＯ２／ＳｎＯ２及び／又は水和ＳｎＯ２／Ｆｅ３Ｏ４／ＳｉＯ２、基材／ＳｎＯ２及び／又は水和ＳｎＯ２／Ｆｅ３Ｏ４／ＴｉＯ２＋ＳｎＯ２／Ｆｅ３Ｏ４／ＳｉＯ２、
基材／ＳｎＯ２及び／又は水和ＳｎＯ２／Ｆｅ３Ｏ４／ＳｉＯ２／ＳｎＯ２／Ｆｅ３Ｏ４／ＳｉＯ２、
基材／ＳｉＯ２／ＳｎＯ２及び／又は水和ＳｎＯ２／Ｆｅ３Ｏ４／ＴｉＯ２、又は
基材／ＳｎＯ２／ＴｉＯ２／ＳｎＯ２／Ｆｅ３Ｏ４／ＳｉＯ２を有し、
前記基材は、酸化アルミニウム、板状ガラス、パーライト、アルミニウム、天然マイカ、合成マイカ、オキシ塩化ビスマス、板状酸化鉄、板状グラファイト、ブロンズ、ステンレス鋼、天然パール、窒化ホウ素、二酸化ケイ素、銅フレーク、銅合金フレーク、亜鉛フレーク、亜鉛合金フレーク、酸化亜鉛、エナメル、カオリン（ｃｈｉｎａ  ｃｌａｙ）、磁器、酸化チタン、二酸化チタン、亜酸化チタン、ゼオライト、カオリン、ホウケイ酸塩及びそれらの組み合わせからなる群から選択される、請求項１に記載の顔料。
【請求項１３】
請求項１に記載の黒色エフェクト顔料を含有するペイント、コーティング、粉末コーティング、印刷インキ、レーザーマーキング顔料、化粧品配合物、顔料組成物又は乾燥調合物。
【請求項１４】
請求項１に記載の黒色エフェクト顔料を含む、化粧料配合物。
【請求項１５】
約１０乃至約９０ｗｔ％の化粧品に適するキャリヤ材料を更に含む、請求項１４に記載の化粧料配合物。
【請求項１６】
前記配合物が、コンシーラースティック、ファンデーション、舞台用メイクアップ、マスカラ、ケーキマスカラ、クリームマスカラ、アイシャドウ、リキッドアイシャドウ、ポマ
ードアイシャドウ、パウダーアイシャドウ、スティックアイシャドウ、圧縮（プレスド）アイシャドウ、クリームアイシャドウ、ヘアカラー、リップスティック、リップグロス、コールペンシル、アイライナー、頬紅、アイブロウペンシル、ネイルエナメル、スキングロッサースティック、ヘアスプレー、フェイスパウダー、レッグメイクアップ、虫よけローション、ネイルエナメルリムーバー、香水ローション、シャンプー、ゲルシャンプー、リキッドシャンプー、シェービングクリーム、エアロゾルシェービングクリーム、ブラシレスシェービングクリーム、泡立ちシェービングクリーム、整髪用品、コロンスティック、コロン、コロンエモリエント、バブルバス、ボディローション、保湿ボディローション、洗浄ボディローション、鎮痛ボディローション、収斂ボディローション、アフターシェーブローション、アフターバスミルク及びサンスクリーンローションから成る群から選択される化粧品である、請求項１４に記載の化粧料配合物。
【請求項１７】
少なくとも部分的にＳｎＯ２コート又はＳｎＯ２層化され、更に水和ＳｎＯ２コートを含み得る基材上に、水酸化第二鉄又は酸化第二鉄を更に含み得るＦｅ３Ｏ４コーティング又はＦｅ３Ｏ４層を適用する工程、並びに
所望により更なる金属酸化物コーティングを適用する工程、を含む、
請求項１に記載の黒色エフェクト顔料を製造する方法。
【請求項１８】
前記基材が、酸化アルミニウム、板状ガラス、パーライト、アルミニウム、天然マイカ、合成マイカ、オキシ塩化ビスマス、板状酸化鉄、板状グラファイト、板状シリカ、ブロンズ、ステンレス鋼、天然パール、窒化ホウ素、銅フレーク、銅合金フレーク、亜鉛フレーク、亜鉛合金フレーク、酸化亜鉛、エナメル、カオリン（ｃｈｉｎａ  ｃｌａｙ）、磁器、酸化チタン、二酸化チタン、亜酸化チタン、ゼオライト、カオリン及びそれらの組み合わせからなる群から選択される、請求項１７に記載の方法。
【請求項１９】
ａ）０．５乃至４質量％のＳｎＯ２又は水和ＳｎＯ２で基材を少なくとも部分的にコーティングする工程、
ｂ）工程ａ）の少なくとも部分的にコーティングされた基材に、１８．４乃至７０質量％のＦｅ３Ｏ４を適用する工程、及び
ｃ）所望により、更に金属酸化物コーティングを適用する工程、
を含み、そして
該質量％がコーティングされた基材の全質量に基づく、
基材にＦｅ３Ｏ４の付着を増加させる方法。
【請求項２０】
前記ＳｎＯ２及び／又は水和ＳｎＯ２は、前記基材を部分的に又は全体にコートし、且つ、少なくともＦｅ３Ｏ４の部分コーティング又は部分層で隣接して又は直接コートされる、請求項１に記載の顔料。